(57)【特許請求の範囲】
【請求項１】
横断面長方形をなす１つのフレーム内に、このフレームの長辺に沿って順に並べられた第一領域と共通領域と第二領域を含む熱交換部が、収容され、
上記熱交換部の第一領域，第二領域のそれぞれの真下には、制御手段により独立して制御される第一，第二の燃焼部が配置され、
上記熱交換部は、多数の垂直フィンプレートと、互いに独立した第一，第二の通水管とを備え、
上記多数のフィンプレートは互いにほぼ平行をなして上記熱交換部の領域の並び方向に並べられ、
上記第一，第二の通水管のそれぞれは、上記熱交換部の領域の並び方向に延びる複数の真直部と、これら真直部を連結するベンド部とを有し、これら第一，第二の通水管の真直部は異なる高さに配置され、
上記第一通水管の真直部は熱交換部の第一領域におけるフィンプレートと上記フレームの一方の短辺側の壁を直交して貫通し、上記フレームの外側に位置する第一通水管のベンド部は上記一方の短辺側の壁から突出し、
上記第二通水管の真直部は熱交換部の第二領域におけるフィンプレートと上記フレームの他方の短辺側の壁を直交して貫通し、上記フレームの外側に位置する第二通水管のベンド部は上記他方の短辺側の壁から突出し、
上記フレームの内側に位置する第一，第二の通水管のベンド部が上記共通領域に配置されることにより、第一，第二通水管が上記共通領域において互いに重なって配置されていることを特徴とする燃焼装置。
【請求項２】
第一燃焼部と第二燃焼部との間には、上記熱交換部の共通領域の真下に位置する補助燃焼部が配置されており、この補助燃焼部が、上記制御手段により第一，第二燃焼部から独立して燃焼制御されることを特徴とする請求項１に記載の燃焼装置。
【請求項３】
上記補助燃焼部での燃焼は、第一，第二の燃焼部のいずれか一方で燃焼が行なわれているときには実行されず、第一，第二の燃焼部の両方で燃焼が行なわれているときにのみ実行されることを特徴とする請求項２に記載の燃焼装置。
【請求項４】
上記第一通水管の複数の真直部およびフレーム内のベンド部が、上下に離れた２つの水平面上に配置され、上記第二通水管の複数の真直部およびフレーム内のベンド部が、上記２つの水平面の中間の高さの水平面上に配置されていることを特徴とする請求項１〜３のいずれかに記載の燃焼装置。
【請求項５】
上記第二領域のフィンプレートの上下方向の幅が第一領域の幅より狭いことを特徴とする請求項４に記載の燃焼装置。
【請求項６】
上記共通領域のうち第二領域の近傍部位には、上記第二領域のフィンプレートと上下方向の幅が等しいフィンプレートが配置されており、このフィンプレートに上記第二通水管の真直部が貫通しており、さらに当該近傍部位には、上記第一通水管のベンド部が水平に配置されるとともに、上記フィンプレートの上下に露出されていることを特徴とする請求項５に記載の燃焼装置。
【請求項７】
上記共通領域のうち第一領域の近傍部位には、第一通水管の真直部の端部が配置されるとともに第二通水管のベンド部が配置されており、この近傍部位に配置されるフィンプレートが、第一通水管の真直部を貫通させるための貫通孔と、第二通水管のベンド部をはめ込むための水平な長孔からなる嵌合孔とを有することを特徴とする請求項４〜６のいずれかに記載の燃焼装置。
【請求項８】
上記第一通水管の入口端が給水管に接続され、出口端が給湯管に接続されることで、熱交換部の第一領域が給湯用に用いられ、上記第二通水管の入口端が浴槽からの復路管に接続され、出口端が浴槽への往路管に接続されることで、熱交換部の第二領域が風呂追焚用に用いられることを特徴とする請求項１〜７のいずれかに記載の燃焼装置。
【発明の詳細な説明】
【０００１】
【発明の属する技術分野】
本発明は、給湯，風呂追焚等、複数の機能を有する燃焼装置に関する。
【０００２】
【従来の技術】
従来、給湯と風呂追焚等、２つ機能を有する燃焼装置としては、二缶二水型のものが知られている。
この二缶二水型の燃焼装置では、図６に示すように、互いに独立したフレーム５０，６０に、それぞれ第一，第二の熱交換部５１，６１が収容されており、これら熱交換部５１，６１の真下にそれぞれ第一，第二の燃焼部が配置されている。熱交換部５１，６１は、多数の垂直フィンプレート５２，６２と、これらを貫通する通水管５３，６３とを、それぞれ有している。上記通水管５３，６３は、それぞれ真直部５３ａ，６３ａとベンド部５３ｂ，６３ｂとを有している。第一熱交換部５１において、フィンプレート５２は互いに平行をなしており、通水管５３の真直部５３ａが、このフィンプレート５２を直交するようにして貫通している。これら真直部５３ａをベンド部５３ｂで連結することにより、１系統の水路としての通水管５３が構成されている。第二熱交換部６１も同様にして構成されている。
【０００３】
給湯時には、第一熱交換部５１の通水管５３に水を通し、これに対応する第一燃焼部で燃焼を行なう。風呂追焚時には、第二熱交換部６１の通水管６３に水を通し、これに対応する第二の燃焼部で燃焼を行なう。
【０００４】
【発明が解決しようとする課題】
上記のような従来の燃焼装置では、給湯と風呂追焚を互いに干渉させることなく実行することができる。しかし、熱交換部５１，６１が、２つの独立したフレーム５０，６０にそれぞれ収容されているので、燃焼装置全体が大型化してしまう。特に、図６のように、２つの熱交換部５１，６１の並び方向と、通水管５３，６３の真直部５３ａ，６３ａの延び方向とを一致させるように、熱交換部５１，６１を配置する場合には、これら熱交換部５１，６１の距離を、通水管５３，６３の隣合うベンド部５３ｂ，６３ｂが接触しないように確保する必要があり、燃焼装置全体がより一層大型化しまうことになる。
【０００５】
【課題を解決するための手段】
請求項１の発明に係わる燃焼装置は、横断面長方形をなす１つのフレーム内に、このフレームの長辺に沿って順に並べられた第一領域と共通領域と第二領域を含む熱交換部が、収容され、上記熱交換部の第一領域，第二領域のそれぞれの真下には、制御手段により独立して制御される第一，第二の燃焼部が配置され、上記熱交換部は、多数の垂直フィンプレートと、互いに独立した第一，第二の通水管とを備え、上記多数のフィンプレートは互いにほぼ平行をなして上記熱交換部の領域の並び方向に並べられ、上記第一，第二の通水管のそれぞれは、上記熱交換部の領域の並び方向に延びる複数の真直部と、これら真直部を連結するベンド部とを有し、これら第一，第二の通水管の真直部は異なる高さに配置され、上記第一通水管の真直部は熱交換部の第一領域におけるフィンプレートと上記フレームの一方の短辺側の壁を直交して貫通し、上記フレームの外側に位置する第一通水管のベンド部は上記一方の短辺側の壁から突出し、上記第二通水管の真直部は熱交換部の第二領域におけるフィンプレートと上記フレームの他方の短辺側の壁を直交して貫通し、上記フレームの外側に位置する第二通水管のベンド部は上記他方の短辺側の壁から突出し、上記フレームの内側に位置する第一，第二の通水管のベンド部が上記共通領域に配置されることにより、第一，第二通水管が上記共通領域において互いに重なって配置されていることを特徴とする。
【０００６】
請求項２の発明は、請求項１に記載の燃焼装置において第一燃焼部と第二燃焼部との間には、上記熱交換部の共通領域の真下に位置する補助燃焼部が配置されており、この補助燃焼部が、上記制御手段により第一，第二燃焼部から独立して燃焼制御されることを特徴とする。
請求項３の発明は、請求項２に記載の燃焼装置において、上記補助燃焼部での燃焼は、第一，第二の燃焼部のいずれか一方で燃焼が行なわれているときには実行されず、第一，第二の燃焼部の両方で燃焼が行なわれているときにのみ実行されることを特徴とする。
【０００７】
請求項４の発明は、請求項１〜３のいずれかに記載の燃焼装置において、上記第一通水管の複数の真直部およびフレーム内のベンド部が、上下に離れた２つの水平面上に配置され、上記第二通水管の複数の真直部およびフレーム内のベンド部が、上記２つの水平面の中間の高さの水平面上に配置されていることを特徴とする。
請求項５の発明は、請求項４に記載の燃焼装置において、上記第二領域のフィンプレートの上下方向の幅が第一領域の幅より狭いことを特徴とする。
請求項６の発明は、請求項５に記載の燃焼装置において、上記共通領域のうち第二領域の近傍部位には、上記第二領域のフィンプレートと上下方向の幅が等しいフィンプレートが配置されており、このフィンプレートに上記第二通水管の真直部が貫通しており、さらに当該近傍部位には、上記第一通水管のベンド部が水平に配置されるとともに、上記フィンプレートの上下に露出されていることを特徴とする。
請求項７の発明は、請求項４〜６のいずれかに記載の燃焼装置において、上記共通領域のうち第一領域の近傍部位には、第一通水管の真直部の端部が配置されるとともに第二通水管のベンド部が配置されており、この近傍部位に配置されるフィンプレートが、第一通水管の真直部を貫通させるための貫通孔と、第二通水管のベンド部をはめ込むための水平な長孔からなる嵌合孔とを有することを特徴とする。
請求項８の発明は、請求項１〜７のいずれかに記載の燃焼装置において、上記第一通水管の入口端が給水管に接続され、出口端が給湯管に接続されることで、熱交換部の第一領域が給湯用に用いられ、上記第二通水管の入口端が浴槽からの復路管に接続され、出口端が浴槽への往路管に接続されることで、熱交換部の第二領域が風呂追焚用に用いられることを特徴とする。
【０００８】
【発明の実施の形態】
以下、本発明の一実施形態を図面に基づき詳細に説明する。図１に示すように、燃焼装置は、給湯と風呂追焚の２つの機能を有する一缶二水型をなし、上から順に排気ユニット１、熱交換ユニット２、バーナユニット３、ファン４を連接した構成となっている。
【０００９】
バーナユニット３は、上端が開口した箱形状のフレーム５内に、多数のエレメント群からなるバーナ６を収容した構成からなる。このフレーム５の底壁にファン４が取り付けられている。バーナ６は、３つの領域に分けられ、それぞれが給湯用燃焼部６ａ（第一燃焼部）、補助燃焼部６ｂ、風呂追焚用燃焼部６ｃ（第二燃焼部）となっている。これら燃焼部６ａ，６ｂ，６ｃは、図中左右方向（Ｘ軸方向）に並んで配置されている。
【００１０】
バーナユニット３へのガスの供給は、主管７と、主管７から分岐した３つの分岐管８，９，１０とによってなされ、主管７には主電磁開閉弁１１と電磁比例弁１２とが設けられ、分岐管８，９，１０にはそれぞれ補助電磁開閉弁１３，１４，１５が設けられている。３つの分岐管８，９，１０から送り出されるガスは、ノズルブロック１６を介してバーナ６の燃焼部６ａ，６ｂ，６ｃにそれぞれ供給される。各燃焼部６ａ，６ｂ，６ｃには、ファン４からの空気も導入される。各燃焼部６ａ，６ｂ，６ｃでは、供給されたガスと空気が混合されて上面の炎口から噴射され、この空気混合ガスに図示しない着火手段により着火がなされることで、燃焼が行なわれる。
【００１１】
フレーム５の内部空間においてバーナ６の上下は、バイパス通路１７により結ばれており、このバイパス通路１７には、ファンからバーナ６を通る送風量を検出するための風量センサ１８が設けられている。この検出出力に基づいてファン４の送風量が制御ユニット１９によって制御されるようになっている。
【００１２】
熱交換ユニット２は、上下端が開口した横断面矩形のフレーム２０内に、熱交換部２１を収容した構成からなる。フレーム２０の上部は、熱交換部２１を保持する保持胴２０ａをなし、下部がバーナユニット３のフレーム５に連結される燃焼胴２０ｂとなっている。
【００１３】
熱交換部２１は、給湯用領域２１ａ（第一領域）と、共通領域２１ｂと、風呂追焚用領域２１ｃ（第二領域）とに区分けされている。これらの領域２１ａ，２１ｂ，２１ｃは、図１中左右方向（Ｘ軸方向）に並んでおり、給湯用領域２１ａが給湯用燃焼部６ａの真上に配置され、共通領域２１ｂ、風呂追焚用領域２１ｃが、補助燃焼部６ｂ、風呂追焚用燃焼部６ｃの真上にそれぞれ配置されている。
【００１４】
次に、熱交換部２１の構造について詳述する。熱交換部２１は、フレーム２０の保持胴２０ａ内に収容された互いに平行をなす多数の垂直なフィンプレート３０，３１，３２を有している。フィンプレート３０は、上記給湯用領域２１ａに配置され、フィンプレート３１は、共通領域２１ｂの右半分（給湯用領域２１ａに近い方の半分）に配置され、フィンプレート３２は風呂追焚用領域２１ｃと共通領域２１ｂの左半分（風呂追焚用領域２１ｃに近い方の半分）に配置されている。図２に示すように、これらフィンプレート３０，３１，３２は、Ｘ軸と直交する水平方向（すなわち図２中Ｙ軸方向）に延び、Ｘ軸方向に互いに等しい間隔を置いて並べられている。
【００１５】
上記熱交換部２１は、互いに独立した第一通水管３３と第二通水管３４とを有している。第一通水管３３は、例えば８本の真直部３３ａと、これら真直部３３ａを両端において連結するベンド部３３ｂとを有している。同様に第二通水管３４は、例えば４本の真直部３４ａと、これら真直部３４ａを両端において連結するベンド部３４ｂとを有している。
【００１６】
第一通水管３３の真直部３３ａは、上下に離れた水平面Ｐ１，Ｐ２上に４本ずつ分かれて配置されており、上段の真直部３３ａ同士を連結するベンド部３３ｂは水平面Ｐ１上に、下段の真直部３３ａ同士を連結するベンド部３３ｂは水平面Ｐ２上に配置されている。
第二通水管３４の真直部３４ａおよびベンド部３３ｂは、水平面Ｐ３上に配置されている。この水平面Ｐ３は、水平面Ｐ１，Ｐ２の中間の高さにある。
【００１７】
第一通水管３３の真直部３３ａは、主に給湯用領域２１ａに配置されフィンプレート３０を直交して貫通し、その左端部が共通領域２１ｂの右半分においてフィンプレート３１を直交して貫通している。第二通水管３４の真直部３４ａは、主に風呂追焚用領域２１ｃに配置されフィンプレート３２を直交して貫通するとともに、その右端部が共通領域２１ｂにおいてフィンプレート３２を直交して貫通している。
【００１８】
第一通水管３３の左側のベンド部３３ｂは共通領域２１ｂの左半分に配置されており、第二通水管３４の右側のベンド部３４ｂが共通領域２１ｂの右半分に配置されており、これにより第一，第二通水管３３，３４は共通領域２１ｂにおいて互いに重なり合っている。共通領域２１ｂの右半分において、第二通水管３４のベンド部３４ｂはフィンプレート３１にはまり込んでいる。共通領域２１ｂの左半分において、第一通水管３３のベンド部３３ｂは、フィンプレート３２の上下に露出されている。
【００１９】
図３に示すように、給湯用領域２１ａに配置されるフィンプレート３０は、第一通水管３３の真直部３３ａを通すための貫通孔３０ａを、上下２段に有しており、比較的広い縦幅ｈ１をなしている。
【００２０】
図４に示すように、共通領域２１ｂの右半分の領域部分に配置されるフィンプレート３１は、第一通水管３３の真直部３３ａを通すための貫通孔３１ａを上下２段に有するとともに、これら上下の貫通孔３１ａの中間に、Ｙ軸方向に延びる長孔からなる嵌合孔３１ｂを有している。この嵌合孔３１ｂは、第二通水管３４のベンド部３４ｂをはめ込むためのものである。
なお、この嵌合孔３１ｂの縦幅はベンド部３４ｂの直径よりも大きくしてあり、嵌合孔３１ｂとベンド部３４ｂはろう付けされていない。風呂用燃焼部６ｃでの熱により第二通水管３４の真直部３４ａが伸びても、ベンド部３４ｂがフィンプレート３１に固定されていないため、フィンプレート３１に歪みが生じない。上記フィンプレート３１は、上記フィンプレート３２と同じ縦幅ｈ１を有している。
【００２１】
図５に示すように、共通領域２１ｂの左半分と風呂追焚用領域２１ｃに配置されたフィンプレート３２は、給湯用フィンプレート３０，３１に比べて縦幅ｈ２が狭く形成され、通水管３４の真直部３４ｂを通す貫通孔３２ａを有している。
【００２２】
第一通水管３３の一端（入口端）には、燃焼胴２０ｂを巻く冷却管（図示しない）を介して給水管２２が接続され、その他端（出口端）には、末端に栓２３を設けた給湯管２４が接続されている。また、第二通水管３４の一端（入口端）には、燃焼胴２０ｂの外周を巻く冷却管（図示しない）を介して復路管２８が接続され、その他端（出口端）には、往路管２７が接続されている。復路管２８の中途部には、ポンプ２９が接続されている。
【００２３】
上記構成の燃焼装置において、上記共通領域２１ｂの右半分に配置されたフィンプレート３１には、通水管３３の真直部３３ａを通す貫通孔３１ａのみならず、長孔からなる嵌合孔３１ｂが形成されているので、第二通水管３４のベンド部３４ｂを、フィンプレート３１と直交する方向からこの嵌合孔３１ｂに差し込むことができ、熱交換部２１の組み立てが容易である。
【００２４】
次に、このように構成される燃焼装置の動作を説明する。
まず、給湯について説明する。栓２３を開くと、給水管２２、第一通水管３３、給湯管２４の順に水が流れる。給水管２２に設けられた水流スイッチ４０がこれを検出し、この検出信号に応答して制御ユニット１９が主電磁開閉弁１１、補助電磁開閉弁１３を開くことにより、給湯用燃焼部６ａでの燃焼が行なわれる。その結果、給湯用燃焼部６ａの真上に位置する給湯用領域２１ａのフィンプレート３０が主に加熱され、給水管２２から第一通水管３３に通される水がフィンプレート３０を介して加熱されて、湯となって給湯管２４へと供給される。この時、風呂追焚用燃焼部６ｃと補助燃焼部６ｂでは燃焼が行なわれないので、熱交換部２１の風呂追焚用領域２１ｃと共通領域２１ｂには、ファン４からの燃焼を伴わない空気が通過するだけであり、第二通水管３４内の水を加熱することはない。
【００２５】
次に風呂追焚について説明する。制御ユニット１９の制御により、ポンプ２９が駆動され、浴槽２５内の水が復路管２８、第二通水管３４、往路管２７を経て循環される。これと同時に、主電磁開閉弁１１、補助電磁開閉弁１５を開いて、風呂追焚用燃焼部６ｃで燃焼を開始する。その結果、風呂追焚用燃焼部６ｃの真上に位置する風呂追焚用領域２１ｃのフィンプレート３２が加熱され、浴槽２５から第二通水管３４に通される水がフィンプレート３２を介して加熱されて、追焚が実行される。この時、給湯用燃焼部６ａと補助燃焼部６ｂでは燃焼が行なわれないので、熱交換部２１の給湯用領域２１ａと共通領域２１ｂには、ファン４からの燃焼を伴わない空気が通過するだけであり、第一通水管３３内の水を加熱することはない。
【００２６】
給湯と風呂追焚が同時に行なわれる場合は、制御ユニット１９の制御によって、主電磁開閉弁１１、補助電磁開閉弁１３，１４，１５を開いて、給湯用燃焼部６ａ、補助燃焼部６ｂ、風呂追焚用燃焼部６ｃで燃焼を行なう。その結果、各燃焼部６ａ，６ｂ，６ｃの真上に位置する全ての領域２１ａ〜２１ｃのフィンプレート３０，３１，３２が加熱され、通水管３３，３４を通る水が効率良く加熱され、給湯と風呂追焚がなされる。
【００２７】
給湯用領域２１ａのフィンプレート３０の縦幅が広く、第一通水管３３の真直部３３ａが数多く通っているので、比較的要求熱量が多い給湯に適合している。他方、風呂追焚用領域２１ｃのフィンプレート３２の縦幅が狭く、このフィンプレート３２を通る第二通水管３４の真直部３４ａの数が比較的少ないが、これは、給湯に比較して要求熱量が少ない風呂追焚に適している。しかも風呂追焚用領域２１ｃのフィンプレート３２の縦幅を狭くすることにより、このフィンプレート３２の上下縁と第二通水管３４の真直部３４ａとの間の距離を短くすることができ、このフィンプレート３２が燃焼熱で異常加熱されるのを避けることができる。
【００２８】
なお、上述した制御では、給湯のみ、風呂追焚のみの単独燃焼時には補助燃焼部６ｂでの燃焼を行なっていないが、例えば、風呂追焚の単独燃焼時には補助燃焼部６ｂでの燃焼を行い、第一通水管３３のベンド部３３ｂの水を加熱することにより、給湯初期に比較的暖かい湯が出るようにしてもよい。また、給湯の単独燃焼時にも補助燃焼部６ｂでの燃焼を行うようにしてもよい。これらの場合には、分岐管９にも電磁比例制御弁を設け、補助燃焼部６ｂでの燃焼の度合を制御してもよい。
【００２９】
上記実施例において、共通領域２１ｂの左半分に配置されたフィンプレートを共通領域２１ｂの右半分に配置されたフィンプレート３１と同じ縦幅にしてもよい。この場合、上記左半分に配置されたフィンプレートは、上下に第一通水管３３のベンド部３３ｂをはめ込むための長孔からなる嵌合孔を有し、中間部に第二通水管３４の真直部３４ａを貫通させるための貫通孔を有するものとなる。
【００３０】
共通領域２１ｂでの第一通水管３３と第二通水管３４との重なりには、種々の態様がある。例えば共通領域２１ｂが上記実施例より狭く、この共通領域２１ｂに通水管３３，３４のベンド部３３ｂ，３４ｂだけが配置されていてもよい。また、共通領域２１ｂが上記実施例より広く、通水管３３，３４のベンド部３３ｂ，３４ｂが共通領域の左右に距離をおいて離れ、共通領域２１ｂの中央部に、通水管３３，３４の真直部３３ａ，３４ａが配置されていてもよい。
なお、第１通水管３３と第２通水管３４は、厳密に上下に重なる必要はなく、図２中Ｙ軸方向にずれていてもよいことは勿論である。
【００３１】
給湯用領域２１ａのフィンプレートとして、フィンプレート３１と同じものを用いてもよい。この場合、水平面Ｐ３を上記実施形態より下方に位置させ、これに応じて嵌合孔３１ａをより下方に配置するのが好ましい。フィンプレート３１の下部での受熱面積を小さくし、上部での受熱面積を大きくすることにより、水平面Ｐ１，Ｐ２にある通水管３３の熱寄与率を平均化するためである。
また、補助燃焼部６ｂをなくし、共通領域２１ｂの真下の領域を、給湯用燃焼部６ａの延長部と風呂追焚用燃焼部６ｃの延長部でほぼ半分ずつ占めてもよい。すなわち、共通領域２１ｂにおいて、フィンプレート３１の真下に給湯用燃焼部６ａの延長部を配置し、フィンプレート３２の真下に風呂追焚用燃焼部６ｃの延長部を配置する。
さらに、領域２１ｃは、風呂追焚の代わりに、暖房用に用いてもよい。
【００３２】
【発明の効果】
以上説明したように請求項１の発明によれば、１つのフレーム内に２つの機能を有する熱交換部を収容したので、燃焼装置を小型にすることができる。しかも、熱交換部の共通領域において、第一，第二通水管の隣合うベンド部を配置することにより、第一，第二通水管を上下に重ね合わせたので、燃焼装置をより一層小形化することができる。
【００３３】
請求項２の発明によれば、第一，第二燃焼部の間に、熱交換部の共通領域に対応する補助燃焼部を設けたので、熱交換部の用途に応じた最適燃焼を行うことができる。
【００３４】
請求項４の発明によれば、第一領域を比較的要求熱量が多い用途に用い、第二領域を比較的要求熱量が少ない用途に用いることができる。
しかも請求項５の発明によれば、第二領域のフィンプレートの縦幅を狭くすることにより、このフィンプレートを燃焼熱から保護することができる。
請求項７の発明によれば、共通領域において第一領域近傍部位に配置されたフィンプレートに、第一通水管の真直部を貫通する貫通孔と第二通水管のベンド部を嵌合する嵌合孔を形成したので、熱交換部の組み立てが容易である。
請求項８の発明によれば、給湯と風呂追焚の両機能を併せ持つ小形な燃焼装置を提供できる。
【図面の簡単な説明】
【図１】本発明に係わる燃焼装置の一実施形態を示す概略構成図である。
【図２】図１のII−II線に沿う平断面図である。
【図３】熱交換部の給湯用領域に配置されるフィンプレートの正面図である。
【図４】熱交換部の共通領域に配置されるフィンプレートの正面図である。
【図５】熱交換部の風呂追焚用領域に配置されるフィンプレートの正面図である。
【図６】従来の燃焼装置を示す平断面図である。
【符号の説明】
６ａ  給湯用燃焼部（第一燃焼部）
６ｂ  補助燃焼部
６ｃ  風呂追焚用燃焼部（第二燃焼部）
２１  熱交換部
２１ａ  給湯用領域（第一領域）
２１ｂ  共通領域
２１ｃ  風呂追焚用領域（第二領域）
２２  給水管
２４  給湯管
２５  浴槽
２７  往路管
２８  復路管
３０，３１，３２  フィンプレート
３０ａ，３１ａ，３２ａ  貫通孔
３１ｂ  嵌合孔
３３  第一通水管
３３ａ  真直部
３３ｂ  ベンド部
３４  第二通水管
３４ａ  真直部
３４ｂ  ベンド部
Ｐ１，Ｐ２，Ｐ３  水平面
【図１】
0003691573.tif 000002
【図２】
0003691573.tif 000003
【図３】
0003691573.tif 000004
【図４】
0003691573.tif 000005
【図５】
0003691573.tif 000006
【図６】
0003691573.tif 000007